(57)【要約】【課題】防湿特性の高い電気泳動表示装置及び電子機器を提供すること。【解決手段】表示領域に素子が形成された素子基板と、前記素子基板に対向して設けられた対向基板と、前記素子基板と前記対向基板とで挟持された電気泳動層と、前記対向基板のうち前記素子基板とは反対面上に設けられた保護基板と、平面視で前記表示領域に沿って設けられ、少なくとも前記保護基板、前記対向基板及び前記電気泳動層を貫通する溝部と、前記溝部に設けられ、前記溝部に対する少なくとも前記保護基板、前記対向基板及び前記電気泳動層の露出部分のうち前記表示領域側を封止する封止部材とを備える。【選択図】図１
2010085566.tif 000002
【特許請求の範囲】
【請求項１】
表示領域に素子が形成された素子基板と、
前記素子基板に対向して設けられた対向基板と、
前記素子基板と前記対向基板とで挟持された電気泳動層と、
前記対向基板のうち前記素子基板とは反対面上に設けられた保護基板と、
平面視で前記表示領域に沿って設けられ、少なくとも前記保護基板、前記対向基板及び前記電気泳動層を貫通する溝部と、
前記溝部に設けられ、前記溝部に対する少なくとも前記保護基板、前記対向基板及び前記電気泳動層の露出部分のうち前記表示領域側を封止する封止部材と
を備えることを特徴とする電気泳動表示装置。
【請求項２】
前記溝部は、前記素子基板の前記電気泳動層側に形成されている
ことを特徴とする請求項１に記載の電気泳動表示装置。
【請求項３】
前記溝部は、前記素子基板を貫通して形成されている
ことを特徴とする請求項１又は請求項２に記載の電気泳動表示装置。
【請求項４】
前記表示領域は、平面視矩形の領域であり、
前記素子基板のうち前記表示領域の一辺に沿った領域には、前記素子に接続される電極が設けられており、
前記溝部は、平面視で前記一辺とは異なる三辺に沿って形成されている
ことを特徴とする請求項１から請求項３のいずれか一項に記載の電気泳動表示装置。
【請求項５】
前記素子基板のうち前記対向基板とは反対面上に設けられ、前記素子基板の端面の一部を介して前記素子基板に電気的に接続される接続基板を更に備え、
前記溝部は、前記接続基板のうち前記素子基板側の一部に形成されている
ことを特徴とする請求項１から請求項４のいずれか一項に記載の電気泳動表示装置。
【請求項６】
前記封止部材は、前記溝部を埋めるように設けられている
ことを特徴とする請求項１から請求項５のいずれか一項に記載の電気泳動表示装置。
【請求項７】
前記露出部分のうち少なくとも前記表示領域側は、面一状態に形成されている
ことを特徴とする請求項１から請求項６のいずれか一項に記載の電気泳動表示装置。
【請求項８】
前記封止部材は、無機材料を主成分とし、接着剤を介して固定されている
ことを特徴とする請求項１から請求項７のいずれか一項に記載の電気泳動表示装置。
【請求項９】
前記封止部材は、樹脂材料を主成分とし、自身の接着力によって固定されている
ことを特徴とする請求項１から請求項７のいずれか一項に記載の電気泳動表示装置。
【請求項１０】
前記素子基板と前記保護基板との間であって前記封止部材よりも外周側に設けられ、前記電気泳動層を封止する第２封止部材
を更に備えることを特徴とする請求項１から請求項９のいずれか一項に記載の電気泳動表示装置。
【請求項１１】
請求項１から請求項１０のいずれか一項に記載の電気泳動表示装置を搭載したことを特徴とする電子機器。
【発明の詳細な説明】
【技術分野】
【０００１】
本発明は、電気泳動表示装置及び電子機器に関する。
【背景技術】
【０００２】
近年、電子ペーパーなどの表示部として、電気泳動表示装置が用いられるようになっている。電気泳動表示装置は、液相分散媒に複数の電気泳動粒子が分散された電気泳動分散液を有する構成になっている。電気泳動表示装置は、電界を印加することで該電気泳動粒子の分布状態が変化し、該電気泳動分散液の光学特性が変化することを表示に利用した装置である。電気泳動表示装置の具体的な構成としては、素子基板の表示領域に電気泳動シートが貼り付けられ、当該電気泳動シート上に保護基板が貼り合わされた構成が知られている。
【０００３】
電気泳動シートはＩＴＯなどの透明電極が蒸着された透明シート上に電気泳動層及び接着層が形成された構成になっている。電気泳動層としては、例えば、電気泳動粒子を含む電気泳動分散液が封入された複数のマイクロカプセルを当該シート一面に敷き詰めた構成が挙げられる。
【０００４】
マイクロカプセルを有する電気泳動表示装置は、マイクロカプセルに保持される水分が多すぎても少なすぎても表示特性に悪影響を及ぼしてしまう。このため、電気泳動層の封止構造が不十分な状態では、電気泳動表示装置の使用環境の温湿度変化によって表示特性が劣化しやすくなってしまうことが知られている。
【０００５】
これに対して、電気泳動表示装置の周辺からの水分の出入りを極力減らした防湿性の高い封止構造が提案されている。一般的には、素子基板及び保護基板を電気泳動層の周りにはみ出すように構成し、当該はみ出した部分に樹脂材料を挟持させることによって、電気泳動層を封止する構成が知られている。  
【特許文献１】特開２００５−１１４８２２号公報
【発明の開示】
【発明が解決しようとする課題】
【０００６】
しかしながら、上記構成においては、素子基板と封止部材との間、保護基板と封止部材との間のそれぞれから水分が浸入しやすいという問題があり、より防湿特性の高い構成が求められていた。  
以上のような事情に鑑み、本発明の目的は、防湿特性の高い電気泳動表示装置及び電子機器を提供することにある。
【課題を解決するための手段】
【０００７】
上記目的を達成するため、本発明に係る電気泳動表示装置は、表示領域に素子が形成された素子基板と、前記素子基板に対向して設けられた対向基板と、前記素子基板と前記対向基板とで挟持された電気泳動層と、前記対向基板のうち前記素子基板とは反対面上に設けられた保護基板と、平面視で前記表示領域に沿って設けられ、少なくとも前記保護基板、前記対向基板及び前記電気泳動層を貫通する溝部と、前記溝部に設けられ、前記溝部に対する少なくとも前記保護基板、前記対向基板及び前記電気泳動層の露出部分のうち前記表示領域側を封止する封止部材とを備えることを特徴とする。
【０００８】
本発明によれば、少なくとも保護基板、対向基板及び電気泳動層を貫通する溝部が平面視で表示領域に沿って設けられており、溝部には、当該溝部に対して少なくとも保護基板、対向基板及び電気泳動層のうち表示領域側の露出部分を封止する封止部材が設けられているので、表示領域に沿った位置において少なくともこれら保護基板、対向基板及び電気泳動層が封止部材によってカバーされることとなる。基板面を伝わって電気泳動層へ浸入する水分は封止部材によって防がれることになるため、防湿特性の高い電気泳動表示装置を得ることができる。加えて、封止部材を保護基板や素子基板のはみ出し部分に配置する場合に比べ、封止部材の外部接触部分を小さくすることができるという利点もある。
【０００９】
上記の電気泳動表示装置は、前記溝部は、前記素子基板の前記電気泳動層側に形成されていることを特徴とする。  
本発明によれば、溝部が素子基板の電気泳動層側に形成されていることとしたので、電気泳動層と素子基板との間を連続して封止することができる。これにより、一層確実に電気泳動層を封止することができる。
【００１０】
上記の電気泳動表示装置は、前記溝部は、前記素子基板を貫通して形成されていることを特徴とする。  
本発明によれば、溝部が素子基板を貫通して形成されていることとしたので、素子基板を貫通して封止部材を配置させることができる。これにより、一層確実に電気泳動層を封止することができる。
【００１１】
上記の電気泳動表示装置は、前記表示領域は、平面視矩形の領域であり、前記素子基板のうち前記表示領域の一辺に沿った領域には、前記素子に接続される電極が設けられており、前記溝部は、平面視で前記一辺とは異なる三辺に沿って形成されていることを特徴とする。  
本発明によれば、表示領域が平面視矩形の領域であり、素子基板のうち表示領域の一辺に沿った領域には素子に接続される電極が設けられており、溝部が当該一辺とは異なる三辺に沿って形成されていることとしたので、当該三辺に沿った領域を確実に封止することができる。
【００１２】
上記の電気泳動表示装置は、前記素子基板のうち前記対向基板とは反対面上に設けられ、前記素子基板の端面の一部を介して前記素子基板に電気的に接続される接続基板を更に備え、前記溝部は、前記接続基板のうち前記素子基板側の一部に形成されていることを特徴とする。  
本発明によれば、素子基板のうち対向基板とは反対面上に設けられ、素子基板の端面の一部を介して素子基板に電気的に接続される接続基板を更に備え、溝部が接続基板のうち素子基板側の一部に形成されていることとしたので、封止部材を接続基板の溝部形成部分にも配置させることができる。これにより、一層確実に電気泳動層を封止することができる。
【００１３】
上記の電気泳動表示装置は、前記封止部材は、前記溝部を埋めるように設けられていることを特徴とする。  
本発明によれば、封止部材が溝部を埋めるように設けられていることとしたので、一層確実に電気泳動層を封止することができる。
【００１４】
上記の電気泳動表示装置は、前記溝部に露出する部分のうち少なくとも前記表示領域側は、面一状態に形成されていることを特徴とする。  
本発明によれば、溝部に露出する部分のうち少なくとも表示領域側は、面一状態に形成されていることとしたので、封止部材による封止面積を極力小さくすることができる。これにより、外部からの水分等の浸入をより確実に防ぐことができる。
【００１５】
上記の電気泳動表示装置は、前記封止部材は、無機材料を主成分とし、接着剤を介して固定されていることを特徴とする。  
本発明によれば、封止部材が無機材料を主成分とし、接着剤を介して固定されていることとしたので、より確実な封止構造を得ることができる。
【００１６】
上記の電気泳動表示装置は、前記封止部材は、樹脂材料を主成分とし、自身の接着力によって固定されていることを特徴とする。  
本発明によれば、封止部材が樹脂材料を主成分とし、自身の接着力によって固定されていることとしたので、より確実な封止構造を得ることができる。
【００１７】
上記の電気泳動表示装置は、前記素子基板と前記保護基板との間であって前記封止部材よりも外周側に設けられ、前記電気泳動層を封止する第２封止部材を更に備えることを特徴とする。  
本発明によれば、電気泳動層を封止する第２封止部材が、素子基板と保護基板との間であって封止部材よりも外周側に設けられていることとしたので、封止部材及び第２封止部材によって電気泳動層が２重に封止されることになる。これにより、より防湿特性の高い電気泳動表示装置を得ることができる。
【００１８】
本発明に係る電子機器は、上記の電気泳動表示装置を搭載したことを特徴とする。  
本発明によれば、防湿特性の高い電気泳動表示装置を搭載したので、寿命が長く不具合の少ない表示部を備えた電子機器を得ることができる。
【発明を実施するための最良の形態】
【００１９】
［第１実施形態］  
以下、図面を参照して本発明の第１実施形態を説明する。  
図１は本実施形態に係る電気泳動表示装置１の概略構成を示す平面図である。図２は、図１におけるＡ−Ａ断面に沿った構成を示す図である。図３は、図１におけるＢ−Ｂ断面に沿った構成を示す図である。
【００２０】
図１〜図３に示すように、電気泳動表示装置１は、素子基板２、電気泳動シート３、保護基板４、接続基板５及び封止部６を備えている。電気泳動表示装置１は、素子基板２に電気泳動シート３が貼り付けられた構成になっている。電気泳動シート３上には保護基板４が配置されており、素子基板２のうち電気泳動シート３と反対面側には接続基板５が配置されている。電気泳動シート３の周囲には封止部６が配置されている。
【００２１】
素子基板２は、基材２０、素子形成層２１及び電極２２を有している。基材２０は、例えば３０μｍ〜１００μｍ程度の厚さを有する板状部材である。基材２０の構成材料としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などが挙げられる。
【００２２】
素子形成層２１は、基材２０の内面２０ａのうち平面視で電気泳動シート３に重なる領域に設けられた層である。素子形成層２１は、絶縁層２４、画素電極２５及びスイッチング素子２６を有している。画素電極２５は、平面視で例えばマトリクス状に配置された電極である。スイッチング素子２６は、画素電極２５ごとに設けられた素子である。スイッチング素子２６には、不図示のデータ線及び走査線などが接続されている。絶縁層２４は、これら各部を覆うように基材２０上に形成されている。
【００２３】
電極２２は、基材２０の内面２０ａ上のうち平面視で電気泳動シート３から図１中右側に外れた領域に設けられている。電極２２は、図１の上下方向中央部に複数配列されている。電極２２には不図示の配線群が接続されている。当該配線群は、例えば上記走査線やデータ線などに接続されている。
【００２４】
本実施形態における電気泳動表示装置１は、平面視で画素電極２５の配列された矩形の領域が表示領域７となっている。表示領域７では、平面視における各画素電極２５の形成領域が画素領域となっており、画素領域ごとに静止画や動画等の画像が表示されるようになっている。表示領域７の周囲は、画像が表示されない非表示領域８となっている。
【００２５】
電気泳動シート３は透明基板（対向基板）３０、共通電極３５、電気泳動層３１及び接着層３３を有している。  
透明基板３０は電気泳動層３１を保持する基板であり、例えば２５μｍ〜２００μｍ程度の厚さを有している。透明基板３０の構成材料としては、例えばポリエチレンテレフタレート（ＰＥＴ）、ポリエーテルスルホン（ＰＥＳ）、ポリカーボネイト（ＰＣ）など光透過性の高い材料などが挙げられる。例えば透明基板３０の表面３０ａには、不図示の防湿シートなどが配置されていても構わない。
【００２６】
共通電極３５は例えばＩＴＯなどの光透過性の高い導電材料で構成された電極である。共通電極３５は透明基板３０の内面３０ｂのほぼ全面に亘って形成されている。共通電極３５には不図示の上下導通材が接続されている。上下導通材は素子基板２に電気的に接続されている。共通電極３５は、上下導通材を介して素子基板２に電気的に接続された状態になっている。
【００２７】
電気泳動層３１は、複数のマイクロカプセル３２を有している。  
マイクロカプセル３２は電気泳動分散液が封入された略球状のカプセルであり、各カプセルの直径はほぼ同一（３０μｍ〜１００μｍ）になっている。マイクロカプセル３２のカプセル壁膜を構成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液層分散媒とからなる。
【００２８】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、又はこれらの混合物に界面活性剤等を配合したものを用いることができる。
【００２９】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３０】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００３１】
接着層３３は、バインダを兼ねた接着剤である。接着層３３としては、例えばマイクロカプセル３２のカプセル壁膜に対する親和性が良好で、共通電極および画素電極に対する接着性に優れ、かつ絶縁性の良い接着剤を用いることが好ましい。
【００３２】
保護基板４は、透明基板３０の表面３０ａに配置された基板である。保護基板４の構成材料としては、光透過性が高く、平坦度が優れ、キズつきにくい材料、例えばアクリル樹脂などが挙げられる。アクリル樹脂の他には、例えばガラスなどが適している。具体的には、無機ガラスや、クリスタルガラス、サファイヤガラスや、アクリルガラスなどを用いることができる。保護基板４は素子基板２及び透明基板３０と共に電気泳動層３１を覆う構成になっており、当該構成によって電気泳動層３１に水分の浸入がより確実に防止されるようになっている。
【００３３】
接続基板５は、基材５０及び電極５１を有している。接続基板５は、保護基板４の平面視での寸法と同一の寸法を有しており、保護基板４に平面視で重なる位置に設けられている。したがって、接続基板５の端面は、保護基板４の端面との間で面一状態になっていることになる。端面が面一状態となっている、とは、例えば、端面が互いに平行であり、かつ平面視での位置が一致していることをいう。なお、必要に応じて、接続基板５の寸法を保護基板より大きくしてもよい。
【００３４】
基材５０は、素子基板２の基材２０の表面２０ｂ上に配置された矩形の板状部材である。基材５０の構成材料としては、例えばガラスエポキシなどが挙げられる。電極５１は、基材５０の一辺側、例えば図１においては右辺側に複数配列されている。電極５１は、素子基板２の電極２２に対応するように配置されている。電極５１と電極２２との間はワイヤーボンディング５２によって接続されている。
【００３５】
封止部６は電気泳動層３１を封止する部分である。封止部６は、溝部６０、第１封止部材６１及び第２封止部材６２を有している。溝部６０は、保護基板４、透明基板３０、電気泳動層３１及び素子基板２を貫通して形成されている。溝部６０は、表示領域７の４辺のうち電極２２が設けられた側である図中右辺を除いた３辺、すなわち平面視で表示領域７の図中左辺、上辺及び下辺に沿って形成されている。溝部６０には、保護基板４、透明基板３０、電気泳動層３１及び素子基板２の一部が露出している。この露出部分６０ａのうち表示領域７側は、面一状態に形成されている。
【００３６】
第１封止部材６１は、面一状態に形成された表示領域７側の露出部分６０ａを覆うように形成されている。具体的には、第１封止部材６１は、保護基板４、透明基板３０、電気泳動層３１及び素子基板２に跨って露出部分６０ａを覆うように形成されている。第１封止部材６１は、溝部６０を埋めるように設けられており、保護基板４の上面と面一状態になっている。したがって、第１封止部材６１は、溝部６０に対する露出部分６０ａの全体を覆っていることになる。第１封止部材６１の構成材料としては、例えばエポキシ樹脂などの樹脂材料が挙げられる。第１封止部材６１は、自身の接着力によって溝部６０に対する露出部分に固着されている。
【００３７】
第２封止部材６２は、電気泳動シート３に対して電極２２側に配置され、保護基板４と、素子基板２と、接続基板５と第１封止部材６１とで囲まれる空間を埋めるように設けられている。第２封止部材６２は、当該空間内において電気泳動層３１の図中右側部を直接封止している。第２封止部材６２の構成材料としては、第１封止部材６１と同様、例えばエポキシ樹脂などの樹脂材料が挙げられる。
【００３８】
上記の電気泳動表示装置１を製造する際には、大判の基板を用いてまず複数の電気泳動表示装置の集合体を形成し、当該集合体を切断することによって複数の電気泳動表示装置１に個片化する、いわゆる多面取りと呼ばれる手法が行われる。第２封止部材６２については、電気泳動表示装置の集合体を形成する際に大判の基板内部に配置させることができる。第１封止部材６１については、例えば第２封止部材６２を形成した後、大判の状態でまず溝部６０を形成する。溝部６０の形成時には、集合体に形成された複数の表示領域７に沿って接続基板５の表面上まで当該電気泳動表示装置の集合体を切断する。溝部６０の形成後、当該溝部６０内に上記の樹脂材料を配置させる。当該樹脂材料が第１封止部材６１となる。
【００３９】
次に、上記のように構成された電気泳動表示装置１の動作を簡単に説明する。  
画素電極２５と共通電極３５との間に共通電極３５の電圧が相対的に高くなるように電圧を印加すると、正に帯電された黒色の電気泳動粒子はクーロン力によってマイクロカプセル３２内のうち画素電極２５側に引き寄せられる。一方、負に帯電された白色の電気泳動粒子はクーロン力によってマイクロカプセル３２内の共通電極３５側に引き寄せられる。この結果、マイクロカプセル３２内の透明基板３０側には白色の電気泳動粒子が集まることになり、電気泳動表示装置１の表示領域７にはこの白色の電気泳動粒子の色（白色）が表示されることとなる。
【００４０】
逆に、画素電極２５と共通電極３５との間に画素電極２５の電位が相対的に高くなるように電圧を印加すると、負に帯電された白色の電気泳動粒子はクーロン力によって画素電極２５側に引き寄せられる。一方、正に帯電された黒色の電気泳動粒子はクーロン力によって共通電極３５側に引き寄せられる。この結果、マイクロカプセル３２内の透明基板３０側には黒色の電気泳動粒子が集まることになり、電気泳動表示装置１の表示領域７には黒色の電気泳動粒子の色（黒色）が表示されることとなる。
【００４１】
マイクロカプセル３２を有する電気泳動表示装置１は、マイクロカプセル３２に保持される水分が多すぎても少なすぎても表示特性に悪影響を及ぼしてしまう。このため、電気泳動層３１の封止構造が不十分な状態では、電気泳動表示装置１の使用環境の温湿度変化によって表示特性が劣化しやすくなってしまう。
【００４２】
これに対して、本実施形態によれば、少なくとも保護基板４、透明基板３０及び電気泳動層３１を貫通する溝部６０が平面視で表示領域７に沿って設けられており、溝部６０には、当該溝部６０に対して少なくとも保護基板４、透明基板３０及び電気泳動層３１の露出部分６０ａのうち表示領域７側を封止する第１封止部材６１が設けられているので、平面視で表示領域７に沿った位置において少なくともこれら保護基板４、透明基板３０及び電気泳動層３１が第１封止部材６１によってカバーされることとなる。基板面を伝わって電気泳動層３１へ浸入する水分は第１封止部材６１によって防がれることになるため、防湿特性の高い電気泳動表示装置１を得ることができる。加えて、第１封止部材６１を保護基板４や素子基板２のはみ出し部分に配置する場合に比べ、第１封止部材６１の外部接触部分を小さくすることができるという利点もある。
【００４３】
また、本実施形態によれば、溝部６０が素子基板２を貫通して形成されていることとしたので、素子基板２を貫通して第１封止部材６１を配置させることができる。これにより、一層確実に電気泳動層３１を封止することができる。
【００４４】
本実施形態によれば、表示領域７が平面視矩形の領域であり、素子基板２のうち表示領域７の一辺に沿った領域には素子に接続される電極２２が設けられており、溝部６０が当該一辺とは異なる三辺に沿って形成されていることとしたので、当該三辺に沿った領域を確実に封止することができる。
【００４５】
また、本実施形態によれば、露出部分６０ａのうち少なくとも表示領域７側が面一状態に形成されていることとしたので、第１封止部材６１による封止面積を極力小さくすることができ、封止に必要な幅を小さくすることができる。これにより、外部からの水分等の浸入をより確実に防ぐことができる。また、封止部材６１の外側にも、保護基板４、素子基板２、透明基板３０、電気泳動層３１が配置されており、これらの構成要素によっても防湿機能が発揮される。これにより、より確実に外部からの水分等の浸入を防止することができる。また、溝部６０を設ける本実施形態の構成は、溝部６０を設けずに素子基板２と保護基板４との間に封止部材を充填する従来の封止構造と比べて、素子基板２や保護基板４を湾曲させる方向の応力が生じにくい。このため、封止構造の剥がれや、素子基板２、保護基板４の割れを生じにくくすることができる。
【００４６】
［第２実施形態］  
次に、図４を参照して、本発明の第２実施形態を説明する。第１実施形態と同様、図４では、各部材を認識可能な大きさとするため、縮尺を適宜変更している。また、第１実施形態と同一の構成要素については、同一の符号を付してその説明を省略する。
【００４７】
図４は、本実施形態に係る電気泳動表示装置１の構成を示す断面図であり、第１実施形態における図２に対応する図である。  
図４に示すように、本実施形態では、素子基板２及び封止部６の構成が第１実施形態とは異なっている。具体的には、溝部６０が素子基板２を貫通してはおらず、当該溝部６０が断面視で素子基板２の電気泳動層３１側に深さ方向の途中まで形成された状態になっている。封止部６の第１封止部材６１は当該溝部６０を埋めるように形成されており、素子基板２の深さ方向の途中まで入り込んだ状態になっている。
【００４８】
本実施形態の構成においても、溝部６０が素子基板２の電気泳動層３１側に形成されているので、電気泳動層３１と素子基板２との間を連続して封止することができる。これにより、一層確実に電気泳動層３１を封止することができる。
【００４９】
［第３実施形態］  
次に、図５を参照して、本発明の第３実施形態を説明する。第１実施形態と同様、図５では、各部材を認識可能な大きさとするため、縮尺を適宜変更している。また、第１実施形態と同一の構成要素については、同一の符号を付してその説明を省略する。
【００５０】
図５は、本実施形態に係る電気泳動表示装置１の構成を示す断面図であり、第１実施形態における図２に対応する図である。  
図５に示すように、本実施形態では、溝部６０及び第１封止部材６１の構成が第１実施形態とは異なっている。具体的には、溝部６０が保護基板４、透明基板３０、電気泳動層３１及び素子基板２を貫通すると共に、接続基板５の素子基板２側の表面にまで形成されている。
【００５１】
また、本実施形態では、第１封止部材６１の構成材料が無機材料であり、当該第１封止部材６１が接着層６３を介して露出部分６０ａに接着されている点で、上記各実施形態とは異なっている。本実施形態における第１封止部材６１の構成材料としては、例えばガラスや金属などの無機材料が挙げられる。第１封止部材６１は、例えば電気泳動表示装置１の表示領域７の３辺を平面視で囲うようにコ字状に形成されている。
【００５２】
本実施形態によれば、溝部６０が接続基板５のうち素子基板２側の一部に形成されていることとしたので、第１封止部材６１を接続基板５の溝部６０形成部分にも配置させることができる。これにより、素子基板２と接続基板５との界面を保護することができるので、一層確実に電気泳動層３１を封止することができる。
【００５３】
［第４実施形態］  
次に、図６を参照して、本発明の第４実施形態を説明する。第１実施形態と同様、図６では、各部材を認識可能な大きさとするため、縮尺を適宜変更している。また、第１実施形態と同一の構成要素については、同一の符号を付してその説明を省略する。
【００５４】
図６は、本実施形態に係る電気泳動表示装置１の構成を示す断面図である。図６（ａ）は第１実施形態における図２に対応する図であり、図６（ｂ）は第１実施形態における図３に対応する図である。  
図６（ａ）及び図６（ｂ）に示すように、本実施形態では、素子基板２と保護基板４とが平面視で電気泳動層３１の外側にはみ出した構成になっている。また、素子基板２と保護基板４とで挟まれる部分のうちこのはみ出し部分、すなわち第１封止部材６１の外周側に第２封止部材６２が配置されている。
【００５５】
本発明によれば、第１封止部材６１の外周側に第２封止部材６２が設けられていることとしたので、第１封止部材６１及び第２封止部材６２によって電気泳動層３１が２重に封止されることになる。これにより、より防湿特性の高い電気泳動表示装置１を得ることができる。
【００５６】
［第５実施形態］  
次に、図７〜図９を参照して、本発明の第５実施形態を説明する。本実施形態では、上記各実施形態の電気泳動表示装置１を、各種電子機器に適用した場合について説明する。
【００５７】
図７は、腕時計１０００の正面図である。腕時計１０００は、時計ケース１００２と、時計ケース１００２に連結された一対のバンド１００３とを備えている。  
時計ケース１００２の正面には、上記実施形態の電気泳動表示装置１からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００５８】
図８は電子ペーパー１１００の構成を示す斜視図である。電子ペーパー１１００は、上記実施形態の電気泳動表示装置１を表示領域１１０１に備えている。電子ペーパー１１００は可撓性を有し、従来の紙と同様の質感及び柔軟性を有する書き換え可能なシートからなる本体１１０２を備えて構成されている。
【００５９】
図９は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００６０】
以上の腕時計１０００、電子ペーパー１１００、及び電子ノート１２００によれば、防湿特性の高い電気泳動表示装置１を搭載したので、寿命が長く不具合の少ない表示部を備えた電子機器１０００、１１００、１２００を得ることができる。
【００６１】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【図面の簡単な説明】
【００６２】
【図１】本発明の第１実施形態に係る電気泳動表示装置の構成を示す平面図。
【図２】本実施形態に係る電気泳動表示装置の構成を示す断面図。
【図３】本実施形態に係る電気泳動表示装置の構成を示す断面図。
【図４】本発明の第２実施形態に係る電気泳動表示装置の構成を示す断面図。
【図５】本発明の第３実施形態に係る電気泳動表示装置の構成を示す断面図。
【図６】本発明の第４実施形態に係る電気泳動表示装置の構成を示す断面図。
【図７】本発明の第５実施形態に係る電子機器の一例である腕時計を示す図。
【図８】本実施形態に係る電子機器の一例である電子ペーパーを示す図。
【図９】本実施形態に係る電子機器の一例である電子ノートを示す図。
【符号の説明】
【００６３】
１…電気泳動表示装置  ２…素子基板  ３…電気泳動シート  ４…保護基板  ５…接続基板  ６…封止部  ７…表示領域  ２１…素子形成層  ２２…電極  ３０…透明基板  ３１…電気泳動層  ６０…溝部  ６０ａ…露出部分  ６１…第１封止部材  ６２…第２封止部材  ６３…接着層
【図１】
2010085566.tif 000003
【図２】
2010085566.tif 000004
【図３】
2010085566.tif 000005
【図４】
2010085566.tif 000006
【図５】
2010085566.tif 000007
【図６】
2010085566.tif 000008
【図７】
2010085566.tif 000009
【図８】
2010085566.tif 000010
【図９】
2010085566.tif 000011